(57)【要約】  【課題】  防犯効果の高く、開閉することができる面格子を提供する。  【解決手段】  本発明は、開口部２を開放する開位置から、開口部２を閉鎖する閉位置に移動可能な格子部材３と、開口部２の建物内側の相対向する一対の端部の一端近傍に固定され、格子部材３を支持する第１の格子支持部材４と、格子部材３の端部に固定され、格子部材３を支持するとともに、開口部２の建物内側の相対向する一対の端部の他端近傍に移動する第２の格子支持部材５とを備える。また、本発明は、第２の格子支持部材５において、格子部材３を閉位置で施錠・固定するロック機構６を備え、遠隔操作部７により、ロック機構６を開錠する。  【選択図】  図２
2007063816.tif 000002
【特許請求の範囲】
【請求項１】
建物の開口部に設けられる面格子において、
上記開口部を開放する開位置から、上記開口部を閉鎖する閉位置に移動可能な格子部材と、
上記開口部の建物内側の相対向する一対の端部の一端近傍に固定され、上記格子部材を支持する第１の格子支持部材と、
上記格子部材の端部に固定され、上記格子部材を支持するとともに、上記開口部の建物内側の相対向する一対の端部の他端近傍に移動する第２の格子支持部材と、
上記格子部材が上記閉位置に位置するときに、上記第２の格子支持部材を上記他端に固定するロック機構とを備え、
上記ロック機構は、開錠及び／又は施錠を行うための遠隔操作部を有し、該遠隔操作部が上記建物の外側から操作不能な位置に設けられている
ことを特徴とする面格子。
【請求項２】
上記格子部材を上記閉位置から上記開位置まで移動させる駆動手段を更に備えることを特徴とする請求項１記載の面格子。
【発明の詳細な説明】
【技術分野】
【０００１】
本発明は、面格子に関し、特に、建物の窓などの開口部に設けられ、防犯効果を高める面格子に関する。
【背景技術】
【０００２】
従来、防犯目的で建物の窓や扉等の開口部に設けられる面格子は、取付部材を有し、この取付部材が建物の外側に固定されることにより、取り付けられるものが多く、火災や地震などの非常時にこの開口部から迅速に室外に脱出することは困難だった。そこで、非常時にこの面格子が取り付けられた開口部より、出入りができるように開閉駆動する面格子が提案されている（例えば、特許文献１参照。）。
【０００３】
特許文献１に示された開閉式面格子は、建物の外側に設置され、可動格子を閉位置において施錠する格子用錠を有する開閉式面格子について記載されている。また、この開閉式面格子は、格子用錠を開錠する遠隔操作装置を有し、遠隔操作装置の開錠動作と連動して警報を発する警報装置を備える。
【０００４】
しかし、特許文献１記載の開閉式面格子は、他人が侵入を試みた場合、面格子ユニットが建物の外側に取り付けられており、この面格子ユニットを取り外すことにより進入が可能となってしまい、従来の建物の外側に取り付けられる固定式面格子と同様程度の防犯効果しかなかった。すなわち、建物の外側に取り付けられる面格子は、その取付構造が視認可能なため、ドライバ等の一般的な工具を用いれば、容易に取り外すことができ、十分な防犯効果が得られなかった。
【０００５】
そこで、面格子自体の取り外しを防止するために、建物の内側に設けられる面格子も提案されている（例えば、特許文献２参照。）。
【０００６】
特許文献２記載の面格子は、建物の内側に設置されるため、外部からの侵入に対しては、防犯効果が高い。しかし、この面格子は、開閉式ではないため、非常時にはこの面格子が設けられた開口部からの出入りは不可能となる問題があった。また、日常において室内から見る面格子越しの視界は、良好なものではなく、圧迫感やストレスなどの不快感をもたらすものであった。
【０００７】
【特許文献１】特開平０８−１３５３３４号公報
【特許文献２】特開２００４−２５７０４７号公報
【発明の開示】
【発明が解決しようとする課題】
【０００８】
本発明は、上述のような従来の問題点に鑑みて提案されたものであり、高い防犯効果を有し、使用者の意思により開閉することができる面格子を提供することを目的とする。
【課題を解決するための手段】
【０００９】
上述の課題を解決するために本発明に係る面格子は、建物の開口部に設けられる面格子において、上記開口部を開放する開位置から、上記開口部を閉鎖する閉位置に移動可能な格子部材と、上記開口部の建物内側の相対向する一対の端部の一端近傍に固定され、上記格子部材を支持する第１の格子支持部材と、上記格子部材の端部に固定され、上記格子部材を支持するとともに、上記開口部の建物内側の相対向する一対の端部の他端近傍に移動する第２の格子支持部材と、上記格子部材が上記閉位置に位置するときに、上記第２の格子支持部材を上記他端に固定するロック機構とを備える。そして、上記ロック機構は、開錠及び／又は施錠を行うための遠隔操作部を有し、該遠隔操作部が上記建物の外側から操作不能な位置に設けられていることを特徴とする。
【発明の効果】
【００１０】
本発明は、格子部材が建物の内側に位置するように設置される。そのため、外部からの侵入者は、取り外しを容易に行うことができず、防犯効果を高めることができる。
【００１１】
また、面格子は、侵入者がロック機構を開錠しようと試みた場合でも、開錠操作のための遠隔操作部が建物の外側から格子部材を介して操作不能な位置に設けられており、十分な防犯効果を得られる。
【００１２】
さらに、面格子は、遠隔操作部の操作により、容易に格子部材を開位置に移動させ、開口部を開放でき、開口部を開放した状態にしたいときや、非常時における脱出経路を確保するときに煩雑な作業を必要としない。
【発明を実施するための最良の形態】
【００１３】
以下、本発明に係る面格子の最良の実施形態を図面を参照して詳細に説明する。図１は、本発明に係る面格子１が開口部２に取り付けられ、開口部２を開放する開位置に固定された状態を示す図である。
【００１４】
面格子１は、図１に示すように、建物の窓などが設けられる開口部２に取り付けられ、ユーザの意思により開閉が可能となっている。面格子１は、図２に示すように、開口部２を開放する開位置から、開口部２を閉鎖する閉位置に移動可能な格子部材３と、開口部２の建物内側の相対向する一対の端部の一端近傍に固定され、格子部材３を支持する第１の格子支持部材４と、格子部材３の端部に固定され、格子部材３を支持するとともに、開口部２の建物内側の相対向する一対の端部の他端近傍に移動する第２の格子支持部材５とを備える。また、面格子１は、第２の格子支持部材５において、格子部材３を閉位置で施錠・固定するロック機構６を備え、遠隔操作部７により、ロック機構６を開錠する。面格子１は、格子部材３が開口部２の上下方向に摺動可能とされ、開位置においては、図１に示すように、格子部材３が開口部２上部に位置し、開位置にあるときの格子部材３を覆う収納カバー８が設けられている。さらに、面格子１は、図２に示すように、第１の格子支持部材４上に巻取り部９を有し、格子部材３が巻取り部９により開位置に付勢されている。
【００１５】
開口部２は、建物の壁等に設けられる開口部であり、例えば、住宅等の建物の外部から内部への侵入を可能とする窓が設けられる場所である。具体的には、開口部２は、図１に示すように、上辺２ｂ、下辺２ｃ、側辺２ｄ、２ｅによって囲まれる略矩形の開口部であり、摺動開閉する窓２ａが取付けられている。
【００１６】
格子部材３は、例えば、ステンレス製の棒状体からなり、複数の棒状体が所定間隔を保って平行となるように配置されている。格子部材３は、開口部２を閉鎖する閉位置にあるときに、外部からの侵入ができないような間隔に配置されている。格子部材３は、棒状体が所定間隔に保たれるように、開口部２の上辺２ｂ近傍に設けられる第１の格子支持部材４に挿通され、下端部に第２の格子支持部材５が取り付けられている。
【００１７】
格子部材３は、図２に示すように、第１の長尺体３ａ、第２の長尺体３ｂ、第３の長尺体３ｃとから構成されている。格子部材３は、第１の長尺体３ａ内を第２の長尺体３ｂが摺動可能とされ、第２の長尺体３ｂ内を第３の長尺体３ｃが摺動可能とされ、全体として長さが伸縮し、図３に示すように、開位置における省スペース化を実現する構成を有する。それぞれの長尺体３ａ〜３ｃは、挿嵌される長尺体が脱落するのを防止するために、上端部に脱落防止ピン１１が取り付けられ、下端部において長尺体は挿通されるが、脱落防止ピン１１を規制する規制片１２が設けられている。具体的には、第２の長尺体３ｂは、第１の長尺体３ａの下端部に設けられた規制片１２と第２の長尺体３ｂの上端部に設けられた脱落防止ピン１１とにより脱落が防止され、第３の長尺体３ｃは、第２の長尺体３ｂの下端部に設けられた規制片１２と第３の長尺体３ｃの上端部に設けられた脱落防止ピン１１とにより脱落が防止される。同様に、第１の長尺体３ａは、上端部に設けられた脱落防止ピン１１により第１の格子支持部材４の挿通孔４ａから脱落するのを防止する。
【００１８】
なお、格子部材３は、開位置である開口部２上部に位置するときに、省スペースとするために３つの長尺体３ａ〜３ｃからなることについて述べたが、これに限らず、開口部２上部に位置するときの開口部２上部のスペースに応じて長尺体を増減するようにしてもよい。また、格子部材３は、上述のようにステンレス製からなるものに限らず、十分な強度を有する材料から形成されるものであればいかなるものであってもよい。
【００１９】
第１の格子支持部材４は、複数本の格子部材３を所定間隔に保つ支持部材である。具体的には、第１の格子支持部材４は、開口部２の上辺２ｂ近傍で上辺２ｂと略平行となるように固定された長尺体であり、図３に示すように、それぞれの格子部材３及び巻取り部９のライン９ａが挿通され摺動する挿通孔４ａ、４ｂが設けられている。
【００２０】
第２の格子支持部材５は、第１の格子支持部材４と同様に、複数本の格子部材３を所定間隔に保つ支持部材である。具体的には、第２の格子支持部材５は、それぞれの格子部材３下端部と固定され、格子部材３の開位置と閉位置との移動に伴って上下動する。また、第２の格子支持部材５は、長手方向両端部において、開口部２の側辺２ｄ、２ｅ近傍に固定され、第２の格子支持部材５及び格子部材３の摺動方向をガイドするガイドレール１３のガイド溝１３ａと係合されている。
【００２１】
ガイドレール１３は、断面が略コ字状に形成されたレール体からなり、格子部材３の移動方向と平行となるように、開口部２の側辺２ｄ、２ｅ近傍に固定されている。ガイドレール１３は、長手方向に沿ってガイド溝１３ａが設けられており、このガイド溝１３ａに第２の格子支持部材５の長手方向両端部が係合され、第２の格子支持部材５の開位置から閉位置までの移動をガイドする。このようなガイドレール１３は、第２の格子支持部材５の移動方向をガイドし格子部材３の移動をガイドするとともに、第２の格子支持部材５の端部を覆い、安全性と美観性を持たせる役目を果たす。
【００２２】
続いて、ロック機構６について説明する。ロック機構６は、図３〜図６に示すように、第２の格子支持部材５の長手方向略中央部に設けられ、貫通孔１４ａを有する突起部１４と、閉位置において突起部１４が挿入される孔１５ａを有する受け棒１５と、受け棒１５内に設けられ、挿入される突起部１４の貫通孔１４ａ内に挿通される係止部材１６とから構成されている。ロック機構６は、突起部１４の貫通孔１４ａに係止部材１６が挿通され係止されることにより第２の格子支持部材５と受け棒１５とをロックする。
【００２３】
突起部１４は、第２の格子支持部材５の長手方向略中央部で受け棒１５と対向する位置に設けられ、薄板状の突起部からなり、その中央部に貫通孔１４ａが設けられている。
【００２４】
受け棒１５は、開口部２下辺２ｃ近傍に第２の格子支持部材５と略平行となるように固定された長尺体からなり、突起部１４と対向する位置に突起部１４が挿入される孔１５ａが設けられている。受け棒１５は、内部に、挿入される突起部１４の貫通孔１４ａに係止される係止部材１６が設けられており、これらが係止されることにより、移動する第２の格子支持部材５を閉位置においてロックする。
【００２５】
係止部材１６は、図４及び図５に示すように、金属製の角材からなり、突起部１４と対向する面において、テーパ部１６ａが設けられている。また、係止部材１６は、図５に示すように、長手方向略中央部に凸部１６ｂが設けられ、図示しないバネ等の弾性部材により矢印Ｙ２（図４参照）に付勢されている。係止部材１６は、突起部１４が孔１５ａを介して受け棒１５内に挿入されたとき、突起部１４の先端部がテーパ部１６ａを押圧し、貫通孔１４ａに係止されるまで、矢印Ｙ１方向に移動する。
【００２６】
また、受け棒１５内部には、電源と接続され通電されることにより磁力を帯びる電磁石１７が設けられている。電磁石１７は、係止部材１６を矢印Ｙ２方向への付勢に反して、矢印Ｙ１方向に引き寄せ、ロックを外す。
【００２７】
さらに、電磁石１７は、遠隔操作部７により、通電の状態を切り替える。遠隔操作部７は、例えば、電磁石１７から電源までの配線に設けられるスイッチであり、開口部２の外側から手が届かない位置に設けられる。なお、遠隔操作部７は、上述に限らず、開口部２の外側から面格子１を介して開錠操作が行えないような位置に設けられるものであればよく、例えば、受光部を有し、この受光部に無線信号を送ることにより、通電状態を切り替えることができるようにしてもよい。
【００２８】
このような構成を有するロック機構６は、第２の格子支持部材５を突起部１４の貫通孔１４ａに係止部材１６が係止されるまで押圧することによりロックし、電磁石１７に通電させ係止部材１６を矢印Ｙ１方向に引き寄せることによりロックを外すことができる。
【００２９】
なお、ロック機構６は、上述のように、受け棒１５の長手方向略中央部に設けられることに限らず、複数箇所設けるようにしてもよい。また、ロック機構６は、上述のように電磁石１７を用いて開錠操作を行うことに限らず、例えば、鍵等を用いて施錠・開錠操作を行う機構であってもよい。
【００３０】
巻取り部９は、例えば、第１の格子支持部材４の上面に取り付けられ、第２の格子支持部材５と接続されたライン９ａを巻き取る。巻取り部９は、ライン９ａを巻き取るように付勢されており、ロック機構６が開錠されている状態で、格子部材３が自動的に開位置に移動する。
【００３１】
次に、面格子１を開口部２に取り付ける方法について説明をする。面格子１は、図６に示すように、建物の開口部２の内側壁面１８に設置される。具体的には、面格子１は、第１の格子支持部材４、ガイドレール１３、１３、受け棒１５を、それぞれ開口部２の上辺２ｂ近傍、側辺２ｄ、２ｅ近傍、下辺２ｃ近傍に固定することにより設置される。第１の格子支持部材４、ガイドレール１３、１３、受け棒１５は、例えば、所定箇所に設けられた孔を介してビス止めすることにより固定される。
【００３２】
なお、面格子１は、上述のような取り付け方法に限らず、十分な強度で取り付けられるものであればいかなる固定手段によって取り付けるものであってもよい。
【００３３】
以上のように構成された面格子１は、格子部材３が建物の内側に位置するように設置される。そのため、外部からの侵入者は、取り外しを容易に行うことができず、防犯効果を高めることができる。また、面格子１は、建物の内側壁面１８にビス止めされることにより設置されている場合、建物の外側から格子部材３を介して内側壁面１８に固定されたビスを確認することが困難であり、たとえ確認できたとしても、取り外し作業に時間がかかる。また、面格子１は、侵入者がロック機構６を開錠しようと試みた場合でも、係止部材１６が受け棒１５内に設けられている上、遠隔操作部７が建物の外側から格子部材３を介して操作不可能な位置に設けられており、十分な防犯効果を得られる。
【００３４】
さらに、面格子１は、遠隔操作部７の操作により、容易に格子部材３を開位置に移動させ、開口部２を開放でき、開口部２を開放した状態にしたいときや、非常時における脱出経路を確保するときに煩雑な作業を必要としない。
【００３５】
なお、面格子１は、格子部材３が上下方向に移動する構成について述べたが、これに限らず、左右方向へ開閉移動されるようなものであってもよい。
【００３６】
また、面格子１は、巻取り部９を有する構成について述べたが、これに限らず、巻取り部９を設けず、格子部材３の開閉移動を手動で行うようにしてもよい。
【００３７】
また、面格子１は、上述のように、金属製からなるものに限らず、十分な防犯効果が得られる堅固な素材からなるものであれば、いかなるものを用いてもよい。
【００３８】
また、面格子１の遠隔操作部７は、上述に限らず、タイマー機能を有するスイッチを用い、所定の時間だけ開錠操作が行われるような構成とし、電気の節約をすることができる。さらに、面格子１の遠隔操作部７は、電池から電力を得るものとし、停電時にも開錠操作が行えるようにしてもよい。
【図面の簡単な説明】
【００３９】
【図１】本発明に係る面格子が、建物の内側に取り付けられた状態を示した図である。
【図２】本発明に係る面格子の閉位置における外観斜視図である。
【図３】本発明に係る面格子の開位置における外観斜視図である。
【図４】ロック機構を説明するための一部破断図である。
【図５】係止部材を示す斜視図である。
【図６】本発明に係る面格子の開口部に取り付けられた状態を示した縦断面図である。
【符号の説明】
【００４０】
１  面格子、２  開口部、３  格子部材、３ａ  第１の長尺体、３ｂ  第２の長尺体、３ｃ  第３の長尺体、４  第１の格子支持部材、４ａ、４ｂ  挿通孔、５  第２の格子支持部材、６  ロック機構、７  遠隔操作部、８  収納カバー、９  巻取り部、１１  脱落防止ピン、１２  規制片、１３  ガイドレール、１４  突起部、１４ａ  貫通孔、１５  受け棒、１５ａ  孔、１６  係止部材、１７  電磁石、１８  内側壁面
【図１】
2007063816.tif 000003
【図２】
2007063816.tif 000004
【図３】
2007063816.tif 000005
【図４】
2007063816.tif 000006
【図５】
2007063816.tif 000007
【図６】
2007063816.tif 000008